(57)【要約】      【課題】  合成樹脂シートから一連として成形されていて安価であり、商品の流通段階での温泉卵を保護するに十分な強度を有し、一回の購入数を自由に選択できると共に、アウトドアー時の食用に際して、簡易な食器として利用できる鶏卵包装用容器の提供。      【解決手段】  合成樹脂シート素材を膨出成形させて形成した卵一つ分の下半部を収納できる空間を有する卵収容凹部１１を備えた容器本体１と、卵一つ分の上半部を収納できる空間を有する卵収容凹部２１を備え前記容器本体１の上部を覆う蓋体２と、これら両体１，２を折り畳み自在に連結する連結折り曲げ部３とを基本単位とする卵容器であって、前記折り曲げ部３が、分離容易な切目３１を備えていて、前記蓋体２における、前記折り曲げ部３との連結部と対向する側の側壁２６部分がほぼ滑らかな面に形成され、開蓋後に食事容器として利用し得る形状とされたもの。      【選択図】        図１
2005280788.tif 000002
【特許請求の範囲】
【請求項１】
合成樹脂シート素材を膨出成形させて形成した卵一つ分の下半部を収納できる空間を有する卵収容凹部(11)を備えた容器本体(1)と、卵一つ分の上半部を収納できる空間を有する卵収容凹部(21)を備え前記容器本体(1)の上部を覆う蓋体(2)と、これら両体(1)，(2)を折り畳み自在に連結する連結折り曲げ部(3)とを基本単位とする卵容器であって、前記折り曲げ部(3)が、分離容易な切目(31)を備えていていて、前記蓋体(2)における、前記折り曲げ部(3)との連結部と対向する側の側壁(26)部分がほぼ滑らかな面に形成され、開蓋後に食事容器として利用し得る形状とされている鶏卵包装用容器。
【請求項２】
合成樹脂シート素材を膨出成形させて形成した卵一つ分の下半部を収納できる空間を有する卵収容凹部(11)を備えた容器本体(1)と、卵一つ分の上半部を収納できる空間を有する卵収容凹部(21)を備え前記容器本体(1)の上部を覆う蓋体(2)と、これら両体(1)，(2)を折り畳み自在に連結する連結折り曲げ部(3)とを基本単位とする卵容器であって、前記折り曲げ部(3)が、分離容易な切目(31)を備えていて、前記蓋体(2)における、前記折り曲げ部(3)との連結部と対向する側の側壁(26)部分がほぼ滑らかな面に形成され、開蓋後に食事容器として利用し得る形状とされている容器の複数単位が、前記容器本体(1)，(1)どうし又は蓋体(2)，(2)どうし若しくはその両方が、連結部(5)で連結されて一体的に形成され、該連結部(5)が分離容易な切目(51)を備えていて、各単位体ごとに容易に切断分離し得る形状に形成されている鶏卵包装用容器。
【請求項３】
容器本体(1) における卵収容凹部(11)の空間が、卵一つと真空パックしたスープ袋や塩袋のような調味料袋(4)とを収納できる大きさに形成されている請求項１または２に記載の鶏卵包装用容器。
【発明の詳細な説明】
【技術分野】
【０００１】
本発明は、一般に知られている合成樹脂製のシート素材を膨出成形させてなる卵包装用の容器に関するもので、殊に半熟卵や温泉卵または茹で卵等（以下単に温泉卵という）を殻付きの状態で一個一個個別に収容し、包装して販売に供する鶏卵包装用容器に関するものである。
【背景技術】
【０００２】
かかる合成樹脂シート素材を膨出成形させてなる半熟卵や温泉卵等を収納する従来の卵容器は、卵をガタツキなく保持するための、卵の外形に沿った収納凹部が形成され、同時に容器の補強のために壁面に大小のリブや凹凸が壁面に設けられている。このような容器は温泉卵等を包装する以外には使用されることなく、例えばアウトドアーで温泉卵を買ってその包装容器を、スープを入れるカップとしてそのまま代用することは大小のリブや凹凸の存在によって使用に不適である。この問題点を排除するための手段として、本発明者は容器本体とは別に形成したフランジ付きのカップを容器本体に対して着脱自在に重合される食事用の容器を開発し、卵包装用容器と共に市場に提供する手段を提案している。
【非特許文献１】登録意匠第９７１０８４号意匠公報
【特許文献１】特許第２７０６９１１号公報
【発明の開示】
【発明が解決しようとする課題】
【０００３】
以上にいうところの、前者の卵の外形に沿った収納凹部が形成されている容器では、先述のごとき問題点があり、従ってアウトドアーで温泉卵を食する場合には、常に食事用のカップを必要とする不便さがあった。又、後者の本発明者による改良された卵容器では、上記問題点は解消されているが、着脱自在に重合される別形成のカップの存在によって製造費が嵩むと言う解決すべき課題を有していた。
【０００４】
そこで、本発明は、容器本体や蓋体の構造、形状を技術的に工夫し、一連として成形された容器本体と蓋体のみにて商品としての流通段階での卵の破損を防止する十分な強度を有するものでありながら、アウトドアー時や自動車や列車の中でもスープ用や食事用のカップを携行する必要がなく、簡易な食器としても利用できる温泉卵の包装用容器を提供することを目的とする。
【課題を解決するための手段】
【０００５】
該目的を達成するために講じた本第１発明の鶏卵包装用容器は、実施例を示す図面と共通の符号を用いて説明すると、合成樹脂シート素材を膨出成形させて形成した卵一つ分の下半部を収納できる空間を有する卵収容凹部１１を備えた容器本体１１と、卵一つ分の上半部を収納できる空間を有する卵収容凹部２１を備え前記容器本体１の上部を覆う蓋体２と、これら両体１，２を折り畳み自在に連結する連結折り曲げ部３とを基本単位とする卵容器であって、前記折り曲げ部３が、分離容易な切目３１を備えていていて、前記蓋体２における、前記折り曲げ部３との連結部と対向する側の側壁２６部分がほぼ滑らかな面に形成され、開蓋後に食事容器として利用し得る形状とされている構成としたものである。
【０００６】
また、第２発明の鶏卵包装用容器は、合成樹脂シート素材を膨出成形させて形成した卵一つ分の下半部を収納できる空間を有する卵収容凹部１１を備えた容器本体１と、卵一つ分の上半部を収納できる空間を有する卵収容凹部２１を備え前記容器本体１の上部を覆う蓋体２と、これら両体１，２を折り畳み自在に連結する連結折り曲げ部３とを基本単位とする卵容器であって、前記折り曲げ部３が、分離容易な切目３１を備えていて、前記蓋体２における、前記折り曲げ部３との連結部と対向する側の側壁２６部分がほぼ滑らかな面に形成され、開蓋後に食事容器として利用し得る形状とされている容器の複数単位が、前記容器本体１，１どうし又は蓋体２，２どうし若しくはその両方が、連結部５で連結されて一体的に形成され、該連結部５が分離容易な切目５１を備えていて、各単位体ごとに容易に切断分離し得る形状に形成されている構成としたものである。
【発明の効果】
【０００７】
以上の説明から既に明らかなように、本発明にいうところの鶏卵包装用容器は、蓋体における折り曲げ部３との連結部と対向する側の側壁２６部分をほぼ滑らかな面に形成してあるので、開蓋して折り曲げ部の切目の部分で容器本体１と蓋体２とを分離し、蓋体２の開口部を上向きにして、温泉卵を入れ、必要に応じて真空パックしたスープ袋や塩袋のような調味料袋を開封して入れ、この蓋体２をそのまま食事容器として使用することにより違和感なく使用ることができる。そのため、わざわざカップを持参することなくアウトドアー時や車中等で何時でも違和感なく温泉卵を食することができる利点がある。また、一度の購入数を自由に選択できる利点もある。
【０００８】
また、第２発明の容器にあっては、連結部５によって連結された複数の単位体を連結部から単位体ごとに分離することによって、容易に単一体とすることができ、上記の単一体が備えている効果の全てを享受することができる。
【発明を実施するための最良の形態】
【０００９】
本発明を実施するに当たっては、  鶏卵包装用容器の形態は、卵収容凹部１１が形成されている容器本体１と卵収容凹部２１が形成されている蓋体２とが折り曲げ部３によって連結されて、卵一個を収容する基本単位の容器を構成する。この一単位の容器を二単位平行して並べ、容器本体１の部位で連結部５で連結すれば卵二個を個々に収容する鶏卵包装用容器となる。又、同様にして三単位を平行して連結部５で連結すれば卵三個を個別に収容する容器が得られる。また、必要に応じて、卵四個を個々に収容する鶏卵包装用容器を得ることもできる。折り曲げ部３は切目３１の形成によって分離容易状態となっており、又、連結部５も切目５１の存在によって切断容易状態となっている。但し、容器本体と蓋体との分離は、容器本体を付けたまま蓋体を食事用カップとして使用することは可能であるので多少困難なものであってもよい。
【００１０】
容器本体１の卵収容凹部１１は、卵1個の下半部、若しくは卵1個の下半部と真空パックしたスープ袋４とを収納できる空間、即ち、必要な断面積と深さとを有し、円錐形、楕円錐形、長円錐形、多角錐形等が適当で、周囲壁には凹凸の少ない補強リブが形成されているものでもよい。底部１４は平坦面または平滑面となっているのが好ましい。又、容器本体１や蓋体２の開口部の外周には、浅いフランジ状の周縁鍔部１２や嵌合段部１３が形成されているのが好ましい。
【００１１】
蓋体２は、卵1個の上半部を覆う空間を有し、頂部２４は平坦面２５が形成され、その周囲壁の内、少なくとも折り曲げ部３と対向する側の側壁は、凹凸の少ないほぼ滑らかな曲面となっているのが好ましく、開蓋後に蓋体１を折り曲げ部３から分離して食事容器として利用し得る構造であるので、食事容器として便利に使用できる形状が好ましい。この蓋体２の場合も、開口部の外周に浅いフランジ状の周縁鍔部２２や嵌合段部２３が形成されているのが好ましい。頂部２４を平坦面に形成したときは、蓋体２を簡易な食事容器として使用したとき、安定な状態を保つことができる。
【実施例】
【００１２】
以下本発明の詳細を図に示した実施例に基き説明する。図１は本発明の第１実施例の開蓋状態の説明用の斜視図、図２〜図５は第１実施例の平面図、正面図、背面図及び右側面図、図６は同閉蓋状態を示す斜視図である。
【００１３】
該図１乃至図６に示した本発明の第１実施例は、単位体二個一体の容器を示す実施例であって、温泉卵二個を個々に収容する形態の鶏卵包装用容器の実施例である。即ち、該実施例に示した容器は、基本単位の容器を二単位平行して並べ、容器本体１の部位で連結部５で連結したものである。容器本体１は全体として楕円錐台形状を有し、温泉卵の移動を防ぎ、スープ袋や塩袋等の調味料袋４の位置決めをし、且つ容器本体１の壁面補強を兼ねる補強リブ１５が形成されている。
【００１４】
本実施例では容器本体１の外周にはフランジ状の周縁鍔部１２が形成され、蓋体２には嵌合段部２３が形成されている。図１には包装工程途上で容器本体１の中に卵Ｅとスープ袋４とが収納された状態が仮想線で示されている。図６の斜視図に本実施例の閉蓋状態を示す。閉蓋状態では嵌合段部２３に周縁鍔部１２が当接している。
【００１５】
図７には、本実施例の変形例として、容器本体１の外周に嵌合段部１３が形成され、蓋体２にはフランジ状の周縁鍔部２２が形成されている容器を示してある。尚、これらの実施例では、嵌合段部１３，２３の最外周に立ち上り縁が形成されているが、これは容器本体と蓋体との嵌合をより完全にするためのものであって、必ずしも形成しなくても実用上差し支えない。
【００１６】
基本単位を構成する単体容器は、前記第１実施例に示した二個一体の単位体容器を二つに分離した形状のものであって、連結部５が存在しない形態のものである。
【００１７】
図８の平面図に第２実施例の開蓋状態の構造を示す。この第２実施例は卵３個を包装する鶏卵包装用容器であって、基本単位の容器を三単位平行して並べ、連結部５によって容器本体１の側部で連結された構造を有し、合成樹脂シート素材により連結部５と共に一連として一体成形されている。連結部５には切目５１が形成されている。
【００１８】
図９の平面図に第３実施例の開蓋状態の構造を示す。この第３実施例は卵４個を包装する鶏卵包装用容器であって、第２実施例の容器２組が連結部５によって容器本体１の側部で連結された構造を有し、合成樹脂シート素材により連結部５と共に一連として一体成形されている。連結部５には補切目５１が形成されている。閉蓋状態の図示は省略する。又、卵４個を包装する鶏卵包装用容器の変形例として、基本単位の容器４単位が平行して連結部５によって容器本体１の側部で連結された容器も実施可能で、やはり合成樹脂シート素材により連結部５と共に一連として一体成形される。
【００１９】
更に、これら第２，第３各実施例を拡張することで、卵３個乃至それ以上の数の卵を個々に収納する鶏卵包装用容器も他の実施例として可能である。
【００２０】
包装は、卵収容凹部１１に温泉卵一個又は温泉卵一個と一回分のスープを真空パックしたスープ袋や塩袋のような調味料袋４とを収納し、折り曲げ部３を曲げて、蓋体２で卵収容凹部１１を覆い被せる様にして開口部を閉ざし、粘着テープ又は粘着シール等を併用して封止、閉蓋する。閉蓋時には卵収容凹部１１の前記フランジ状の周縁鍔部１２と蓋体２の前記嵌合段部２３とが、若しくは前記嵌合段部１３と蓋体２の周縁鍔部２２とが、それぞれ当接しあって上下方向の荷重に耐える。
【００２１】
以上本発明の代表的と思われる実施例について説明したが、本発明は必ずしもこれらの実施例構造のみに限定されるものではなく、本発明にいう構成要件を備え、本発明にいう目的を達成し、前項に記載した効果を有する範囲内において適宜改変して実施することができるものである。
【産業上の利用可能性】
【００２２】
本発明にいうところの鶏卵包装用容器は、単体容器のもののみならず、複数体連結した容器のものであっても、販売に際して単位体ごとに切断分離して販売することが容易にできるので、卵を１個づつでも、複数個纏めてでも、顧客の要望に応じて任意の数を販売することができるという便利さがあるので、コンビニや駅の売店等で温泉卵を販売するのに適しており、その需要の可能性は極めて高い。
【図面の簡単な説明】
【００２３】
【図１】第１実施例の開蓋状態の参考斜視図。
【図２】同、平面図。
【図３】同、正面図。
【図４】同、背面図。
【図５】同、右側面図。
【図６】同、閉蓋状態の参考斜視図
【図７】第１実施例の変形例の開蓋状態の右側面図。
【図８】第２実施例の開蓋状態の平面図。
【図９】第３実施例の開蓋状態の平面図。
【符号の説明】
【００２４】
１  容器本体
１１  卵収容凹部
１２  周縁鍔部
１３  嵌合段部
１４  底部
１５  補強リブ
２  蓋体
２１  卵収容凹部
２２  周縁鍔部
２３  嵌合段部
２４  頂部
２５  平坦面
３  折り曲げ部
３１  切目
５  連結部
５1  切目
【図１】
2005280788.tif 000003
【図２】
2005280788.tif 000004
【図３】
2005280788.tif 000005
【図４】
2005280788.tif 000006
【図５】
2005280788.tif 000007
【図６】
2005280788.tif 000008
【図７】
2005280788.tif 000009
【図８】
2005280788.tif 000010
【図９】
2005280788.tif 000011
【手続補正書】
【提出日】平成16年3月30日(2004.3.30)
【手続補正１】
【補正対象書類名】特許請求の範囲
【補正対象項目名】請求項１
【補正方法】変更
【補正の内容】
【請求項１】
合成樹脂シート素材を膨出成形させて形成した卵一つ分の下半部を収納できる空間を有する卵収容凹部(11)を備えた容器本体(1)と、卵一つ分の上半部を収納できる空間を有する卵収容凹部(21)を備え前記容器本体(1)の上部を覆う蓋体(2)と、これら両体(1)，(2)を折り畳み自在に連結する連結折り曲げ部(3)とを基本単位とする卵容器であって、前記折り曲げ部(3)が、分離容易な切目(31)を備えていて、前記蓋体(2)における、前記折り曲げ部(3)との連結部と対向する側の側壁(26)部分がほぼ滑らかな面に形成され、開蓋後に食事容器として利用し得る形状とされている鶏卵包装用容器。
【手続補正２】
【補正対象書類名】明細書
【補正対象項目名】０００５
【補正方法】変更
【補正の内容】
【０００５】
該目的を達成するために講じた本第１発明の鶏卵包装用容器は、実施例を示す図面と共通の符号を用いて説明すると、合成樹脂シート素材を膨出成形させて形成した卵一つ分の下半部を収納できる空間を有する卵収容凹部１１を備えた容器本体１１と、卵一つ分の上半部を収納できる空間を有する卵収容凹部２１を備え前記容器本体１の上部を覆う蓋体２と、これら両体１，２を折り畳み自在に連結する連結折り曲げ部３とを基本単位とする卵容器であって、前記折り曲げ部３が、分離容易な切目３１を備えていて、前記蓋体２における、前記折り曲げ部３との連結部と対向する側の側壁２６部分がほぼ滑らかな面に形成され、開蓋後に食事容器として利用し得る形状とされている構成としたものである。